(57)【特許請求の範囲】
【請求項１】
ガスメータ接続用端部口金を姿勢調節自在に設けてある入り側ガス配管と、ガスメータ接続用基部口金を姿勢調節自在に設けてある出側ガス配管とをガスメータ取付け用空間に固定し、
前記入り側ガス配管に対する姿勢を調節した前記端部口金に、ガスメータの入り側口金を突き合わせて入り側ユニオンで接続するとともに、
前記出側ガス配管に対する姿勢を調節した前記基部口金に、ガスメータの出側口金を突き合わせて出側ユニオンで接続して、
前記ガスメータをガス配管に所定姿勢で取付るために、
前記入り側ユニオンで前記端部口金に接続できる接続部を備えた仮止め用入り側口金と、前記出側ユニオンで前記基部口金に接続できる接続部を備えた仮止め用出側口金とを、それらの接続部どうしが前記ガスメータにおける前記入り側口金の接続部と前記出側口金の接続部との相対姿勢と同じ相対姿勢になるように連結部材で連結してあり、
前記仮止め用入り側口金を前記端部口金に仮接続すると共に、前記仮止め用出側口金を前記基部口金に仮接続することにより、
前記端部口金の前記出側ガス配管に対する姿勢、及び、前記基部口金の前記出側ガス配管に対する姿勢を、前記ガスメータをガス配管に所定姿勢で取付可能な姿勢に調節できるように構成してあるガスメータの取付け治具であって、
前記仮止め用入り側口金を前記端部口金に仮接続した状態で前記入り側ガス配管に連通する気密検査具接続用の入り側連通路を、その仮止め用入り側口金に形成し、
前記仮止め用出側口金を前記基部口金に仮接続した状態で前記出側ガス配管に連通する気密検査具接続用の出側連通路を、その仮止め用出側口金に形成してあるガスメータの取付け治具。
【請求項２】
前記仮止め用入り側口金又は仮止め用出側口金のいずれか一方を対応する端部口金又は基部口金に仮接続した状態で、水平に対する前後左右の傾斜状態を検出する水準器を設けてある請求項１記載のガスメータの取付け治具。
【発明の詳細な説明】
【０００１】
【発明の属する技術分野】
本発明は、ガスメータ接続用端部口金を姿勢調節自在に設けてある入り側ガス配管と、ガスメータ接続用基部口金を姿勢調節自在に設けてある出側ガス配管とをガスメータ取付け用空間に固定し、前記入り側ガス配管に対する姿勢を調節した前記端部口金に、ガスメータの入り側口金を突き合わせて入り側ユニオンで接続するとともに、前記出側ガス配管に対する姿勢を調節した前記基部口金に、ガスメータの出側口金を突き合わせて出側ユニオンで接続して、前記ガスメータをガス配管に所定姿勢で取付るために、前記入り側ユニオンで前記端部口金に接続できる接続部を備えた仮止め用入り側口金と、前記出側ユニオンで前記基部口金に接続できる接続部を備えた仮止め用出側口金とを、それらの接続部どうしが前記ガスメータにおける前記入り側口金の接続部と前記出側口金の接続部との相対姿勢と同じ相対姿勢になるように連結部材で連結してあり、前記仮止め用入り側口金を前記端部口金に仮接続すると共に、前記仮止め用出側口金を前記基部口金に仮接続することにより、前記端部口金の前記出側ガス配管に対する姿勢、及び、前記基部口金の前記出側ガス配管に対する姿勢を、前記ガスメータをガス配管に所定姿勢で取付可能な姿勢に調節できるように構成してあるガスメータの取付け治具に関する。
【０００２】
【従来の技術】
上記ガスメータの取付け工法は、ガスメータを所定姿勢で取付ることができるように、端部口金の入り側ガス配管に対する姿勢と、基部口金の出側ガス配管に対する姿勢とを調節するものであり、ガスメータに感震装置が装備されていて、ガスメータを例えば水平姿勢などの所定姿勢で取り付けなければその感震装置が正常に作動しないような場合は、特に精度良く所定姿勢で取付る必要がある。
従来のガスメータの取付け工法では、ガスメータの入り側口金と出側口金を対応する端部口金と基部口金に接続したときに、そのガスメータの取付け姿勢が所定姿勢になるように、端部口金の入り側ガス配管に対する姿勢と、基部口金の出側ガス配管に対する姿勢とを、予め、各別に調節してから、ガスメータを取付け、取り付けたガスメータの姿勢が所定姿勢になっていない時には、ガスメータを外して、端部口金や基部口金の姿勢を微調節する作業を、ガスメータの取付け姿勢が所定姿勢になるまで繰り返している。
【０００３】
【発明が解決しようとする課題】
このため、ガスメータの取付けに手間がかかる欠点がある。
本発明は上記実情に鑑みてなされたものであって、ガスメータを従来に比べて簡便に取付ることができるようにすることを目的とする。
【０００４】
【課題を解決するための手段】
請求項１記載の発明の特徴構成は、ガスメータ接続用端部口金を姿勢調節自在に設けてある入り側ガス配管と、ガスメータ接続用基部口金を姿勢調節自在に設けてある出側ガス配管とをガスメータ取付け用空間に固定し、前記入り側ガス配管に対する姿勢を調節した前記端部口金に、ガスメータの入り側口金を突き合わせて入り側ユニオンで接続するとともに、前記出側ガス配管に対する姿勢を調節した前記基部口金に、ガスメータの出側口金を突き合わせて出側ユニオンで接続して、前記ガスメータをガス配管に所定姿勢で取付るために、前記入り側ユニオンで前記端部口金に接続できる接続部を備えた仮止め用入り側口金と、前記出側ユニオンで前記基部口金に接続できる接続部を備えた仮止め用出側口金とを、それらの接続部どうしが前記ガスメータにおける前記入り側口金の接続部と前記出側口金の接続部との相対姿勢と同じ相対姿勢になるように連結部材で連結してあり、前記仮止め用入り側口金を前記端部口金に仮接続すると共に、前記仮止め用出側口金を前記基部口金に仮接続することにより、前記端部口金の前記出側ガス配管に対する姿勢、及び、前記基部口金の前記出側ガス配管に対する姿勢を、前記ガスメータをガス配管に所定姿勢で取付可能な姿勢に調節できるように構成してあるガスメータの取付け治具であって、
前記仮止め用入り側口金を前記端部口金に仮接続した状態で前記入り側ガス配管に連通する気密検査具接続用の入り側連通路を、その仮止め用入り側口金に形成し、前記仮止め用出側口金を前記基部口金に仮接続した状態で前記出側ガス配管に連通する気密検査具接続用の出側連通路を、その仮止め用出側口金に形成してある点にある。
【０００５】
【０００６】
〔作用〕  取付け治具の仮止め用入り側口金と端部口金とを入り側ユニオンで互いに仮接続した状態で、気密検査具を入り側連通路に接続して、入り側ガス配管の気密試験を行い、仮止め用出側口金と基部口金とを出側ユニオンで互いに仮接続した状態で、気密検査具を出側連通路に接続して、出側ガス配管の気密試験を行うことができる。
〔効果〕  ガスメータを取り付けてから入り側ガス配管と出側ガス配管の気密試験を行うと、入り側ガス配管や出側ガス配管の気密が確保できていないような場合には、ガスメータを外して必要な補修作業を行ってから、再度、ガスメータを取り付ける必要があるが、ガスメータを取付る前に、入り側ガス配管と出側ガス配管の気密試験を行ってその気密を確認することができるので、入り側ガス配管や出側ガス配管の気密が確保できていないような場合には、必要な補修作業を行ってから、ガスメータを取付ることができ、取付け作業の効率化を図ることができる。
【０００７】
請求項２記載の発明の特徴構成は、前記仮止め用入り側口金又は仮止め用出側口金のいずれか一方を対応する端部口金又は基部口金に仮接続した状態で、水平に対する前後左右の傾斜状態を検出する水準器を設けてある点にある。
〔作用〕  ガスメータを水平姿勢で取付る必要がある場合に、第１工程において、取付け治具の仮止め用入り側口金又は仮止め用出側口金のいずれか一方を、対応する端部口金又は基部口金に仮接続した状態で、取付け治具の水平に対する前後左右の傾斜状態を水準器で検出しながら、仮接続した端部口金又は基部口金の姿勢を取付け治具ごと調節できる。
〔効果〕  従って、ガスメータを水平姿勢で取付る必要がある場合に、仮接続した端部口金又は基部口金の姿勢を調節し易い。
【０００８】
【発明の実施の形態】
以下に本発明の実施の形態を図面に基づいて説明する。
図１は、ガスメータ接続用端部口金１を姿勢調節自在に設けてある入り側ガス配管３と、ガスメータ接続用基部口金２を姿勢調節自在に設けてある出側ガス配管４とをガスメータ取付け用空間に固定してある状態を示す。
前記入り側ガス配管３と出側ガス配管４は、連結補強治具５と、端部口金１と基部口金２とをガスメータ接続用の間隔で保持する間隔保持具６とで連結して予めユニット化してあり、このユニット化した入り側ガス配管３と出側ガス配管４の下端側を地中に埋設して、モルタルセメント７で垂直に固定し、入り側ガス配管３を都市ガス供給配管８に接続するとともに、出側ガス配管４を需要家側の宅内配管９に接続してあり、入り側ガス配管３には遮断弁１０を設けてある。
尚、端部口金１からガスが漏れ出さないように、予め、供給配管８の途中に設けた遮断弁を閉じてある。
【０００９】
前記端部口金１と基部口金２は、いずれも、入り側ガス配管３や出側ガス配管４にシール剤を介して互いに相対回転自在に螺合してある基部エルボ１１ａ，１２ａと、ガスメータＡに接続する端部エルボ１１ｃ，１２ｃと、基部エルボ１１ａ，１２ａと端部エルボ１１ｃ，１２ｃとを接続する中間エルボ１１ｂ，１２ｂとの３個のエルボ１１ａ〜１１ｃ，１２ａ〜１２ｃをシール剤を介して互いに相対回転自在に螺合して構成してあり、基部エルボ１１ａ，１２ａの入り側ガス配管３や出側ガス配管４に対する相対回転と、エルボ１１ａ〜１１ｃ，１２ａ〜１２ｃどうしの相対回転で、気密性を維持しながら入り側ガス配管３や出側ガス配管４に対する姿勢を調節できるようにしてある。
また、端部口金１の端部エルボ１１ｃには、内周側に雌ねじ部を形成した入り側ユニオン１３を、予め、抜け止め状態で回転操作自在に装着し、基部口金２の端部エルボ１２ｃには、内周側に雌ねじ部を形成した出側ユニオン１４を、予め、抜け止め状態で回転操作自在に装着してある。
【００１０】
図２は、入り側ガス配管３に対する姿勢を調節した端部口金１に、ガスメータＡの入り側口金１５を突き合わせて入り側ユニオン１３で接続するとともに、出側ガス配管４に対する姿勢を調節した基部口金２に、ガスメータＡの出側口金１６を突き合わせて出側ユニオン１４で接続して、ガスメータＡをガス配管３，４に所定姿勢で取り付けてある状態を示す。
前記ガスメータＡには感震装置が装備されており、この感震装置はガスメータＡをその上面Ａ１が水平になるように取り付けることによって正常に作動するように設けられているので、ガスメータＡはその上面Ａ１が水平な所定姿勢で取り付けてある。
前記ガスメータＡの入り側口金１５と出側口金１６は同じもので、図３に示すように、ガスメータＡの内側から延設した鋼管１７の外周面に雄ねじ部１８を形成した接続部１９を備え、入り側口金１５と出側口金１６の各々を対応する端部口金１や基部口金２に対向させ、各雄ねじ部１８に、対応する入り側ユニオン１３や出側ユニオン１４の雌ねじ部を螺合して、ガスメータＡを入り側ガス配管３と出側ガス配管４とに所定姿勢で取り付けてある。
【００１１】
本発明によるガスメータの取付け工法に使用する取付け治具Ｂは、図４〜図８に示すように、入り側ユニオン１３で端部口金１に接続できる接続部、つまり、ガスメータＡの入り側口金１５と同じ接続部１９を備えた仮止め用入り側口金２０と、出側ユニオン１４で基部口金２に接続できる接続部、つまり、出側口金１６と同じ接続部１９を備えた仮止め用出側口金２１とを、それらの接続部１９どうしがガスメータＡにおける入り側口金１５の接続部１９と出側口金１６の接続部１９との相対姿勢と同じ相対姿勢になるように、山形鋼を切り出した連結部材２２で連結してある。
そして、入り側口金１５に代えて仮止め用入り側口金２０を端部口金１に入り側ユニオン１３で仮接続するとともに、出側口金１６に代えて仮止め用出側口金２１を基部口金２に出側ユニオン１４で仮接続することによって、その取付け治具Ｂに代えてガスメータＡを取り付けたときに、そのガスメータＡが所定姿勢で取付られる状態に、端部口金１と基部口金２の姿勢を調節できるようにしてある。
【００１２】
前記仮止め用入り側口金２０に、その仮止め用入り側口金２０を端部口金１に仮接続した状態で入り側ガス配管３に連通する気密検査具接続用の入り側連通路２３を形成して、この入り側連通路２３を開閉操作自在なコック２４を接続し、また、仮止め用出側口金２１に、その仮止め用出側口金２１を基部口金２に仮接続した状態で出側ガス配管４に連通する気密検査具接続用の出側連通路２５を形成して、この入り側連通路２５を開閉操作自在なコック２６を接続してある。
前記連結部材２２には、取付け治具Ｂの水平に対する前後左右の傾斜状態を検出する水準器２７をビス止めしてある。
前記水準器２７は、部分球面状に形成した透明の上部ケース２８の内側に液体を収容して、その液体中の気泡の位置から、取付け治具Ｂの水平に対する前後左右の傾斜状態を検出できるようにしてある。
尚、図４は取付け治具Ｂの正面図、図５は取付け治具Ｂの上面図、図６は取付け治具Ｂの背面図、図７は取付け治具Ｂの底面図、図８は取付け治具Ｂの右側面図を夫々示しており、取付け治具Ｂの左側面図は右側面図と左右対称であるために省略してある。
【００１３】
以下に、本発明によるガスメータＡの取付け工法を、作業順に第１工程〜第４工程に分けて説明する。
第１工程では、取付け治具Ｂの仮止め用入り側口金２０又は仮止め用出側口金２１のいずれか一方、例えば、仮止め用入り側口金２０を、図９に示すように、対応する端部口金１に入り側ユニオン１３で仮接続して、その取付け治具Ｂを把持し、水準器２７を見ながら、基部エルボ１１ａが入り側ガス配管３に対して相対回転したり、エルボ１１ａ，１１ｂ，１１ｃどうしが相対回転するように動かして、取付け治具Ｂに代えて、ガスメータＡの入り側口金１５を対応する端部口金１に接続したときに、そのガスメータＡの取付け姿勢が、その上面Ａ１が水平な所定姿勢になるように、仮接続した端部口金１の姿勢を取付け治具Ｂごと調節する。
【００１４】
第２工程では、第１工程において仮止め用入り側口金２０を対応する端部口金１に仮接続して、その仮接続した端部口金１の姿勢を取付け治具Ｂごと調節した状態で、図１０に示すように、未接続の仮止め用出側口金２１に対応する基部口金２を、基部エルボ１２ａが出側ガス配管４に対して相対回転したり、エルボ１２ａ，１２ｂ，１２ｃどうしが相対回転するように動かして、取付け治具Ｂに代えて、ガスメータＡの入り側口金１５を対応する調節済みの端部口金１に接続したときに、未接続の出側口金１６に対応する基部口金２を接続できるように、未接続の基部口金２の姿勢を調節し、その基部口金２と仮止め用出側口金２１とを出側ユニオン１４で接続する。
【００１５】
第３工程では、図１１に示すように、仮止め用入り側口金２０に形成した入り側連通路２３と、仮止め用出側口金２１に形成した出側連通路２５に気密検査具２９のホース３０を接続して、入り側ガス配管３と出側ガス配管４の各々に対して気密検査を行う。
前記気密検査具２９は手動ポンプ３１でガス配管３，４内に加圧空気を供給して、その圧力降下を測定することによって気密状態を検査するように構成してあり、入り側ガス配管３を検査するときには、遮断弁１０とコック２４とを開いて入り側ガス配管３内に加圧空気を供給し、出側ガス配管４を検査するときには、コック２６を開くとともに、宅内配管９の端部を閉じて、その出側ガス配管４内に加圧空気を供給するようにしてある。
【００１６】
第４工程では、仮止め用入り側口金２０と仮止め用出側口金２１の各々を対応する端部口金１と基部口金２から外して、取付け治具Ｂをガス配管３，４から撤去し、その取付け治具Ｂに代えて、図２に示すように、ガスメータＡを取付る。
つまり、入り側口金１５と出側口金１６の各々を対応する調節済みの端部口金１や基部口金２に対向させ、各雄ねじ部１８に、対応する入り側ユニオン１３や出側ユニオン１４を螺合すると、ガスメータＡがその上面Ａ１を水平にした所定姿勢でガス配管３，４に取り付けられる。
【００１７】
〔その他の実施形態〕
１．本発明によるガスメータの取付け工法は、ガスメータを、その上面が前後や左右に傾斜する所定姿勢でガス配管に取り付けても良い。
２．本発明によるガスメータの取付け工法に使用する取付け治具は、その仮止め用入り側口金に備えた接続部の接続長さが、ガスメータの入り側口金に備えた接続部の接続長さと異なっていても良い。
３．本発明によるガスメータの取付け工法に使用する取付け治具は、その仮止め用出側口金に備えた接続部の接続長さが、ガスメータの出側口金に備えた接続部の接続長さと異なっていても良い。
４．本発明によるガスメータの取付け工法に使用する取付け治具は、仮止め用入り側口金と仮止め用出側口金とを連結する連結部材の断面形状が、コの字形状やＣ字形状に形成されていても良い。
【図面の簡単な説明】
【図１】  ガス配管の正面図
【図２】  ガスメータを取り付けてあるガス配管の正面図
【図３】  ガスメータの要部正面図
【図４】  取付け治具の正面図
【図５】  取付け治具の上面図
【図６】  取付け治具の背面図
【図７】  取付け治具の底面図
【図８】  取付け治具の右側面図
【図９】  ガスメータの取付け工法を説明する要部斜視図
【図１０】  ガスメータの取付け工法を説明する要部斜視図
【図１１】  ガスメータの取付け工法を説明する正面図
【符号の説明】
１    端部口金
２    基部口金
３    入り側ガス配管
４    出側ガス配管
１３  入り側ユニオン
１４  出側ユニオン
１５  入り側口金
１６  出側口金
１９  接続部
２０  仮止め用入り側口金
２１  仮止め用出側口金
２２  連結部材
２３  入り側連通路
２５  出側連通路
２７  水準器
２９  気密検査具
Ａ    ガスメータ
Ｂ    取付け治具
【図１】
0003982946.tif 000002
【図２】
0003982946.tif 000003
【図３】
0003982946.tif 000004
【図４】
0003982946.tif 000005
【図５】
0003982946.tif 000006
【図６】
0003982946.tif 000007
【図７】
0003982946.tif 000008
【図８】
0003982946.tif 000009
【図９】
0003982946.tif 000010
【図１０】
0003982946.tif 000011
【図１１】
0003982946.tif 000012